(57)【要約】【課題】撮影動作を被撮影者に確実に伝えることのできる撮像装置を提供する。【解決手段】撮影動作を表す音データを記憶した音ファイル記憶部３２ａと、この音ファイル記憶部３２ａに記憶された音データを出力するスピーカ１１とを備えると共に、少なくともシャッタキーが押下されてから撮影が開始されるまでの間にスピーカ１１により出力される音データの出力を撮影環境に応じて制御する制御部３２を備える。撮影環境とは、例えば周囲の騒音などの環境音であり、その環境音のレベルに応じて音データの出力レベルを変更することで、撮影動作を被撮影者に確実に伝えることができる。【選択図】      図２
2006047416.tif 000002
【特許請求の範囲】
【請求項１】
撮影動作を表す音データを記憶した記憶手段と、
この記憶手段に記憶された音データを出力する音声出力手段と、
少なくともシャッタキーが押下されてから撮影が開始されるまでの間に前記音声出力手段により出力される音データの出力を撮影環境に応じて制御する制御手段と
を具備したことを特徴とする撮像装置。
【請求項２】
前記制御手段は、前記音声出力手段により出力される音データの出力レベルを撮影環境に応じて変更することを特徴とする請求項１記載の撮像装置。
【請求項３】
前記制御手段は、前記音声出力手段により出力される音データの種類を撮影環境に応じて変更することを特徴とする請求項１記載の撮像装置。
【請求項４】
環境音のレベルを測定する環境音測定手段を備え、
前記制御手段は、前記環境音測定手段によって得られた環境音のレベルに基づいて、前記音声出力手段により出力される音データの出力を制御することを特徴とする請求項１乃至３のいずれか１つに記載の撮像装置。
【請求項５】
被撮影者までの距離データを測定する測距手段を備え、
前記制御手段は、前記測距手段によって得られた距離データに基づいて、前記音声出力手段により出力される音データの出力を制御することを特徴とする請求項１乃至３のいずれか１つに記載の撮像装置。
【請求項６】
撮影時のズーム状態を検出するズーム検出手段を備え、
前記制御手段は、前記ズーム検出手段によって検出されたズーム状態に基づいて、前記音声出力手段により出力される音データの出力を制御することを特徴とする請求項１乃至３のいずれか１つに記載の撮像装置。
【請求項７】
前記記憶手段には、セルフタイマ音を表す音データが含まれていることを特徴とする請求項１記載の撮像装置。
【請求項８】
前記記憶手段には、シャッタ音を表す音データが含まれていることを特徴とする請求項１記載の撮像装置。
【請求項９】
撮影動作を表す音データを記憶したメモリと、このメモリに記憶された音データを出力するスピーカとを備えた撮像装置に用いられる撮影動作通知方法であって、
少なくともシャッタキーが押下されてから撮影が開始されるまでの間に、前記スピーカにより出力される音データの出力を撮影環境に応じて制御することを特徴とする撮影動作通知方法。
【請求項１０】
撮影動作を表す音データを記憶したメモリと、このメモリに記憶された音データを出力するスピーカとを備えた撮像装置に用いられるコンピュータにより実行されるプログラムであって、
前記コンピュータに、
少なくともシャッタキーが押下されてから撮影が開始されるまでの間に、前記スピーカにより出力される音データの出力を撮影環境に応じて制御する機能を実現させることを特徴とするプログラム。
【発明の詳細な説明】
【技術分野】
【０００１】
本発明は、例えばデジタルカメラなどの撮像装置と、この撮像装置に用いられる撮影動作通知方法及びプログラムに関する。
【背景技術】
【０００２】
従来、デジタルカメラなどの撮像装置において、セルフタイマを用いた自動撮影時に、発光ダイオードなどの発光体を点灯制御することで、被撮影者に対して撮影タイミングを通知する方法が知られている（例えば、特許文献１参照）。しかしながら、このような光を利用した通知方法は、カメラとの距離が遠かったり、周囲が明るい場合などに視認しづらいといった問題がある。
【０００３】
一方で、大容量のフラッシュメモリを搭載し、例えばＭＰ３（ＭＰＥＧ  ａｕｄｉｏ  ｌａｙｅｒ３）など、音声データを記録可能なデジタルカメラが増えてきた。そこで、前記光による通知方法とは別に、例えば「はいチーズ」とか「３，２，１」といったような音声データを出力することにより、被撮影者に撮影タイミングを通知することが考えられている。
【特許文献１】特開２０００−２９９８０２号公報
【発明の開示】
【発明が解決しようとする課題】
【０００４】
しかしながら、上述したような音声データによる通知方法でも、周囲が非常に騒がしかったり、あるいは、カメラとの距離が離れていると、被撮影者に聞こえないことがあるため、例えば撮影の際に被撮影者がよそ見をして、撮影を失敗してしまう可能性などがあった。
【０００５】
本発明は前記のような点に鑑みなされたもので、撮影動作を被撮影者に確実に伝えることのできる撮像装置、撮影動作通知方法及びプログラムを提供することを目的とする。
【課題を解決するための手段】
【０００６】
本発明の請求項１に係る撮像装置は、撮影動作を表す音データを記憶した記憶手段と、この記憶手段に記憶された音データを出力する音声出力手段と、少なくともシャッタキーが押下されてから撮影が開始されるまでの間に前記音声出力手段により出力される音データの出力を撮影環境に応じて制御する制御手段とを具備したことを特徴とする。
【０００７】
このような構成によれば、少なくともシャッタキーが押下されてから撮影が開始されるまでの間に出力される音データの出力が撮影環境に応じて制御されるので、撮影動作を被撮影者に確実に伝えることができる。
【０００８】
また、本発明の請求項２は、前記請求項１記載の撮像装置において、前記制御手段は、前記音声出力手段により出力される音データの出力レベルを撮影環境に応じて変更することを特徴とする。
【０００９】
このような構成によれば、撮影環境に応じて音データの出力レベルが変更されることで、撮影動作を被撮影者に確実に伝えることができる。
【００１０】
また、本発明の請求項３は、前記請求項１記載の撮像装置において、前記制御手段は、前記音声出力手段により出力される音データの種類を撮影環境に応じて変更することを特徴とする。
【００１１】
このような構成によれば、撮影環境に応じて音データの種類が変更されることで、撮影動作を被撮影者に確実に伝えることができる。
【００１２】
また、本発明の請求項４は、前記請求項１乃至３のいずれか１つに記載の撮像装置において、環境音のレベルを測定する環境音測定手段を備え、前記制御手段は、前記環境音測定手段によって得られた環境音のレベルに基づいて、前記音声出力手段により出力される音データの出力を制御することを特徴とする。
【００１３】
このような構成によれば、環境音のレベルに基づいて音データの出力が制御される。したがって、周囲が騒がしい場合には音データの出力レベルを上げるなどして、撮影動作を被撮影者に確実に伝えることができる。
【００１４】
また、本発明の請求項５は、前記請求項１乃至３のいずれか１つに記載の撮像装置において、被撮影者までの距離データを測定する測距手段を備え、前記制御手段は、前記測距手段によって得られた距離データに基づいて、前記音声出力手段により出力される音データの出力を制御することを特徴とする。
【００１５】
このような構成によれば、被撮影者までの距離データに基づいて音データの出力が制御される。したがって、被撮影者までの距離が遠い場合には音データの出力レベルを上げるなどして、撮影動作を被撮影者に確実に伝えることができる。
【００１６】
また、本発明の請求項６は、前記請求項１乃至３のいずれか１つに記載の撮像装置において、撮影時のズーム状態を検出するズーム検出手段を備え、前記制御手段は、前記ズーム検出手段によって検出されたズーム状態に基づいて、前記音声出力手段により出力される音データの出力を制御することを特徴とする。
【００１７】
このような構成によれば、ズーム状態に基づいて音データの出力が制御される。したがって、例えば被撮影者が遠くにいてズームアップしている場合には音データの出力レベルを上げるなどして、例えば撮影タイミングなどを被撮影者に確実に伝えることができる。
【００１８】
また、本発明の請求項７は、前記請求項１記載の撮像装置において、前記記憶手段には、セルフタイマ音を表す音データが含まれていることを特徴とする。
【００１９】
このような構成によれば、撮影時にセルフタイマ音を被撮影者に確実に伝えることができる。
【００２０】
また、本発明の請求項８は、前記請求項１記載の撮像装置において、前記記憶手段には、シャッタ音を表す音データが含まれていることを特徴とする。
【００２１】
このような構成によれば、撮影時にシャッタ音を被撮影者に確実に伝えることができる。
【００２２】
本発明の請求項９に係る撮影動作通知方法は、撮影動作を表す音データを記憶したメモリと、このメモリに記憶された音データを出力するスピーカとを備えた撮像装置に用いられる撮影動作通知方法であって、少なくともシャッタキーが押下されてから撮影が開始されるまでの間に、前記スピーカにより出力される音データの出力を撮影環境に応じて制御することを特徴とする。
【００２３】
したがって、このような撮影動作通知方法を用いることで、前記請求項１記載の発明と同様の作用効果が奏せられる。
【００２４】
本発明の請求項１０に係るプログラムは、撮影動作を表す音データを記憶したメモリと、このメモリに記憶された音データを出力するスピーカとを備えた撮像装置に用いられるコンピュータにより実行されるプログラムであって、前記コンピュータに、少なくともシャッタキーが押下されてから撮影が開始されるまでの間に、前記スピーカにより出力される音データの出力を撮影環境に応じて制御する機能を実現させることを特徴とする。
【００２５】
したがって、コンピュータが前記機能を実現するためのプログラムを実行することにより、前記請求項１記載の発明と同様の作用効果が奏せられる。
【発明の効果】
【００２６】
本発明によれば、撮影動作を表す音データを所定のタイミングで出力する際に、周囲の騒音や被撮影者までの距離などに応じて、その音データの出力を制御するようにしたため、撮影動作を被撮影者に確実に伝えることができる。したがって、撮影の際に、被撮影者がセルフタイマ音やシャッタ音などを聞こえずによそ見をしてしまい、撮影が失敗することなどを防ぐことができる。
【発明を実施するための最良の形態】
【００２７】
以下、図面を参照して本発明の実施形態を説明する。
【００２８】
（第１の実施形態）
図１は本発明の第１の実施形態における撮像装置としてデジタルカメラを例にした場合の外観構成を示すものであり、図１（ａ）が主に前面の構成、図１（ｂ）が主に背面の構成を示す斜視図である。
【００２９】
このデジタルカメラ１は、略矩形の薄板状ボディの前面に、撮影レンズ２、セルフタイマランプ３、光学ファインダ窓４、マイクロホン部５、ストロボ発光部６、及びラバーグリップ７を配設し、上面の（ユーザにとって）右端側には電源キー８及びシャッタキー９を配する。
【００３０】
ラバーグリップ７は、ユーザが撮影時にデジタルカメラ１を右手で筐体右側面側から把持した場合に右手中指、薬指、及び小指が確実に該筐体を把持できるように配設されたゴム製の帯状突起である。
【００３１】
また、電源キー８は、電源のオン／オフ毎に操作するためのキーである。シャッタキー９は、撮影タイミングを指示するためのキーである。
【００３２】
また、デジタルカメラ１の背面には、モードスイッチ（ＳＷ）１０、スピーカ部１１、メニューキー１２、十字キー１３、セットキー１４、光学ファインダ１５、ストロボチャージランプ１６、表示部１７、ズームキー１８およびセルフタイマキー１９が設けられている。
【００３３】
モードスイッチ１０は、例えばスライドキースイッチにより構成され、基本モードである記録モード「Ｒ」と再生モード「Ｐ」を切り換えるためのものである。前記記録モード「Ｒ」には、静止画モード「Ｒ１」、動画モード「Ｒ２」が含まれる。静止画モード「Ｒ１」は静止画の撮影を行うためのモード、動画モード「Ｒ２」は動画の撮影を行うためのモードである。
【００３４】
前記シャッタキー９は、これらのモード「Ｒ１」、「Ｒ２」に共通に使用される。すなわち、静止画モード「Ｒ１」では、シャッタキー９が押下されたときのタイミングで静止画の撮影が行われる。動画モード「Ｒ２」では、シャッタキー９が押下されたときのタイミングで動画の撮影が開始され、シャッタキー９が再度押下されたときにその動画の撮影が終了する。
【００３５】
メニューキー１２は、各種メニュー項目等を選択させる際に操作する。十字キー１３は、上下左右各方向へのカーソル移動用のキーが一体に形成されたものであり、表示されているメニュー項目等を移動させる際に操作する。セットキー１４は、前記十字キー１３の中心位置に配置され、その時点で選択されているメニュー項目内容等を設定するために操作する。
【００３６】
ストロボチャージランプ１６は、光学ファインダ１５に近接して配設されたＬＥＤランプでなり、このデジタルカメラ１のユーザが光学ファインダ１５を覗いている場合と表示部１７を見ている場合のいずれであってもストロボのチャージ状態等をユーザに視認させる。
【００３７】
表示部１７は、バックライト付きのカラー液晶パネルで構成されるもので、撮影時には電子ファインダとしてスルー画像のモニタ表示を行う一方で、再生時には再生対象として選択された画像等を表示する。
【００３８】
また、ズームキー１８は、撮影レンズ２（ズームレンズ）をズーム操作するためのキーである。このズームキー１８の操作により、撮影レンズ２はズームアップ（ズームインとも呼ぶ）／ズームダウン（ズームアウトとも呼ぶ）する。
【００３９】
セルフタイマキー１９は、セルフタイマモードを設定するためのキーである。このセルフタイマキー１９の操作により、セルフタイマモードが設定され、シャッタキー９を押下すると、所定時間経過後に自動的に撮影が行われる。
【００４０】
なお、特に図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉａｌ  Ｂｕｓ）コネクタ等が設けられる。
【００４１】
図２はデジタルカメラ１の電子回路構成を示すブロック図である。
【００４２】
このデジタルカメラ１には、前記撮影レンズ２を構成するレンズ光学系２２がモータ２１の駆動により光軸方向に所定の範囲内で移動可能に設けられている。前記レンズ光学系２２には、フォーカスレンズやズームレンズなどが含まれる。このレンズ光学系２２の光軸後方に撮像素子であるＣＣＤ２３が配設されている。ＣＣＤ２３は、撮影レンズ２を通過する光を受光し、その受光量に応じた画像データを取得する。
【００４３】
基本モードである記録モード時において、ＣＣＤ２３がタイミング発生器（ＴＧ）２４及びドライバ２５によって走査駆動され、一定周期毎に結像した光像に対応する光電変換出力を１画面分出力する。
【００４４】
このＣＣＤ２３の光電変換出力は、アナログ値の信号の状態でＲＧＢの各原色成分毎に適宜ゲイン調整された後に、サンプルホールド回路２６でサンプルホールドされ、Ａ／Ｄ変換器２７でデジタルデータに変換される。そして、カラープロセス回路２８において、画素補間処理及びγ補正処理を含むカラープロセス処理が行われて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ２９に出力される。
【００４５】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行う。
【００４６】
制御部３２は、ＣＰＵと、このＣＰＵで実行される動作プログラムを記憶したＲＯＭ、及びワークメモリとして使用されるＲＡＭなどを含むマイクロコンピュータにより構成される。
【００４７】
また、この制御部３２には、音ファイル記憶部３２ａおよび音量制御テーブル３２ｂが備えられている。音ファイル記憶部３２ａには、例えばセルフタイマ音やシャッタ音などを含む撮影動作を表す各種音データが所定の形式で記憶されている。音量制御テーブル３２ｂには、これらの音データを出力する場合に参照される音量制御データが記憶されている（図５参照）。
【００４８】
制御部３２は、デジタルカメラ１全体の制御動作を司り、前記輝度及び色差信号のＤＲＡＭ３１へのＤＭＡ転送終了後に、この輝度及び色差信号をＤＲＡＭインタフェース３０を介してＤＲＡＭ３１より読出し、ＶＲＡＭコントローラ３３を介してＶＲＡＭ３４に書込む。
【００４９】
デジタルビデオエンコーダ３５は、前記輝度及び色差信号をＶＲＡＭコントローラ３３を介してＶＲＡＭ３４より定期的に読出し、これらのデータを元にビデオ信号を発生して表示部１７に出力する。
【００５０】
この表示部１７は、上述した如く撮影時にはモニタ表示部（電子ファインダ）として機能するもので、デジタルビデオエンコーダ３５からのビデオ信号に基づいた表示を行うことで、その時点でＶＲＡＭコントローラ３３から取込んでいる画像情報に基づく画像をリアルタイムに表示することとなる。
【００５１】
このように、表示部１７にその時点での画像がモニタ画像としてリアルタイムに表示されている状態で、例えば静止画撮影を行いたいタイミングでシャッタキー９を押下操作すると、トリガ信号が発生する。
【００５２】
制御部３２は、このトリガ信号に応じて、その時点でＣＣＤ２３から取込んでいる１画面分の輝度及び色差信号のＤＲＡＭ３１へのＤＭＡ転送の終了後、直ちにＣＣＤ２３からのＤＲＡＭ３１への経路を停止し、記録保存の状態に遷移する。
【００５３】
この記録保存の状態では、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読み出して、画像処理部３７の内部に存在するＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）処理ブロックに書込み、この画像処理部３７でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００５４】
そして、得た符号データを１画像のデータファイルとして該画像処理部３７から読出して記録用のメモリ３８に書き込む。このメモリ３８としては、予め本体に内蔵されたメモリの他に、記録媒体として着脱自在に装着されるメモリカードなどを含む。１フレーム分の輝度及び色差信号の圧縮処理及びメモリ３８への全圧縮データの書込み終了に伴って、制御部３２はＣＣＤ２３からＤＲＡＭ３１への経路を再び起動する。
【００５５】
また、制御部３２には、さらにＵＳＢインタフェース（Ｉ／Ｆ）３９、ストロボ駆動部４０、音声処理部４１及びセルフタイマ４２が接続される。
【００５６】
ＵＳＢインタフェース３９は、ＵＳＢコネクタを介して有線接続されるパーソナルコンピュータ等の他の情報端末装置との間で画像データその他の送受を行う場合の通信制御を行う。ストロボ駆動部４０は、撮影時に図示せぬストロボ用の大容量コンデンサを充電した上で、制御部３２からの制御に基づいて前記ストロボ発光部６を閃光駆動する。
【００５７】
なお、前記キー入力部３６は、上述したシャッタキー９の他に、前記電源キー８、モードスイッチ１０、メニューキー１２、十字キー１３、セットキー１４及びズームキー１８などから構成され、それらのキー操作に伴う信号は直接制御部３２へ送出される。
【００５８】
また、静止画像ではなく動画像の撮影時においては、シャッタキー９が押下操作されたときに、上述した画像処理部３７の内部に存在する動画処理ブロックで、ＭＰＥＧ（Ｍｏｖｉｎｇ  Ｐｉｃｔｕｒｅ  Ｅｘｐｅｒｔ  Ｇｒｏｕｐ）やｍｏｔｉｏｎ−ＪＰＥＧなどの手法により撮影動画をデータ圧縮し、この撮影動画データをメモリ３８へ記録する。そして、再度シャッタキー９が操作されると、動画データの記録を終了する。
【００５９】
一方、基本モードである再生モード時には、制御部３２がメモリ３８に記録されている画像データを選択的に読出し、画像処理部３７で記録モード時にデータ圧縮した手順と全く逆の手順で圧縮されている画像データを伸長する。そして、この伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、表示部１７で再生出力させる。
【００６０】
選択した画像データが静止画像ではなく動画像であった場合には、その選択した動画像ファイルを構成するＭＰＥＧ動画データの再生を実行し、すべての動画像データの再生を終了した時点で、例えば、次に再生の指示がなされるまで先頭に位置する静止画像データを表示するなどを行う。
【００６１】
また、音声処理部４１は、マイク５およびスピーカ１１に対する音声入出力処理を行う。セルフタイマ４２は、シャッタキー９が押下されてから実際に撮影を行うまでの時間を遅延させるためのタイマであり、所定時間（例えば１０秒）分の計時を行う。セルフタイマランプ３は、このセルフタイマ４２によるカウント動作に同期して点灯する。
【００６２】
次に、同実施形態の動作について説明する。
【００６３】
なお、以下の各フローチャートで示される処理は、制御部３２を構成するＣＰＵがＲＯＭなどに記憶されたプログラムを読み込むことにより、そのプログラムに記述された手順に従って実行される。
【００６４】
図３は同実施形態におけるデジタルカメラ１による撮影時の処理動作を示すフローチャートであり、静止画の撮影を行う場合の処理の流れが示されている。
【００６５】
モードスイッチ１０の操作により、静止画モード「Ｒ１」が設定されている状態で、シャッタキー９が押下されると（ステップＡ１１のＹｅｓ）、制御部３２は、現在セルフタイマモードが設定されているか否かを判断する（ステップＡ１２）。セルタイマモードは、例えばメニューキー１２の操作により表示される図示せぬメニュー画面上で設定されるか、あるいは、セルフタイマキー１９の押下により設定される。
【００６６】
セルフタイマモードが設定されている場合には（ステップＡ１２のＹｅｓ）、制御部３２は、セルフタイマ４２によるカウント動作を開始し（ステップＡ１３）、そのタイマ値を所定周期でカウントダウンしながら、セルフタイマ音を鳴らすタイミングになったか否かを判断する（ステップＡ１４、Ａ１５）。そして、セルフタイマ音を鳴らすタイミングになったときに（ステップＡ１５のＹｅｓ）、制御部３２は、現在のタイマ値に合わせたセルフタイマ音を発生する（ステップＡ１６）。
【００６７】
すなわち、カウントダウンされるタイマ値に同期して、例えば「１０秒前」，「５秒前」，「４」，「３」，「２」，「１」といったようなセルフタイマ音を表す音データを音ファイル記憶部３２ａから選択的に読み込み、この読み込んだ音データを音声処理部４１を介してスピーカ１１から出力する。なお、ここで行われる「発音処理」については、後に詳しく説明する。
【００６８】
また、所定時間分のカウントダウンが終了し、そのタイマ値が「０」になると、制御部３２は撮影タイミングになったものと判断し（ステップＡ１７のＹｅｓ）、例えば「カシャ」といったようなシャッタ音を表す音データを音ファイル記憶部３２ａから選択的に読み込み、この読み込んだ音データを音声処理部４１を介してスピーカ１１から出力する。（ステップＡ１８）。なお、ここで行われる「発音処理」についても前記ステップＡ１６と同様であり、後に詳しく説明する。
【００６９】
また、シャッタ音の発生と同時に、現在撮影対象となっている被写体の画像が撮像素子であるＣＣＤ２３を通じて取り込まれ（ステップＡ１９）、その撮影画像が所定の方式で圧縮されてメモリ３８に記録される（ステップＡ２０）。なお、撮影処理については、図２にて詳しく説明してあるため、ここでは省略する。
【００７０】
次に、前記ステップＡ１６、Ａ１８で実行される発音処理について説明する。
【００７１】
図４は同実施形態におけるデジタルカメラ１による発音処理を示すフローチャートである。セルフタイマ音またはシャッタ音を発生するタイミングになると、制御部３２は、まず、音ファイル記憶部３２ａから現在発生すべき音データを読み込む（ステップＢ１１）。これは、例えばセルフタイマ音であれば、タイマ値が「１０」のときに「１０秒前」といった音データを音ファイル記憶部３２ａから読み込むことである。
【００７２】
ここで、通常は、この読み込んだ音データをスピーカ１１から出力するだけであるが、本実施形態では、周囲の騒音などの環境音のレベルを測定し、その環境音のレベルに応じて音データの出力を制御することを特徴としている。
【００７３】
すなわち、制御部３２は、まず、マイク５を通じて環境音を取得する（ステップＢ１２）。このマイク５から入力される環境音は音声処理部４１によりデジタルデータに変換されて制御部３２に与えられる。これにより、制御部３２は、音量制御テーブル３２ｂを参照して、前記取得した環境音のレベルに応じた音量を決定する（ステップＢ１３）。
【００７４】
図５に示すように、音量制御テーブル３２ｂには、環境音のレベル毎に音データの音量レベルが音量制御データとして記憶されている。この例では、環境音のレベルが０〜２５５の値で表され、「０〜６３」の範囲が音量１、「６４〜１２７」の範囲が音量２、「１２８〜１９１」の範囲が音量３、「１９２〜２５５」の範囲が音量４として定められている。この場合、音量１は最小レベル、音量４は最大レベルであり、音量１＜音量２＜音量３＜音量４の関係にある。
【００７５】
このような音量制御テーブル３２ｂを参照して、環境音のレベルに応じた音量を決定した後、制御部３２は、前記ステップＢ１１で読み込んだ音データを前記決定した音量で出力するべく、音声処理部４１にて音量調整してスピーカ１１から出力する（ステップＢ１４）。
【００７６】
ここで、前記ステップＢ１３で実行される発生音量決定処理について詳しく説明する。以下のような４通り方法があり、そのうちのいずれかの方法にて発生音量を決定するものとする。図６乃至図９はそれらに対応したフローチャートである。
【００７７】
（１）第１の方法
第１の方法として、図６のフローチャートに示すように、マイク５を通じて入力された環境音を所定間隔でサンプリングしてデジタルデータに変換し、そのときに得られる複数の時系列的に連続したパワー値（レベル）の中から最新のものを抽出する（ステップＣ１１）。そして、図５に示した音量制御テーブル３２ｂを参照して（ステップＣ１２）、前記最新のパワー値に対応した音量を当該音データの出力レベルとして選択する（ステップＣ１３）。
【００７８】
具体的に説明すると、例えば環境音の最新のパワー値（レベル）が「５０」であれば、音量１を選択する。また、環境音の最新のパワー値（レベル）が「２００」であれば、音量４を選択する。これにより、比較的静かな環境下であれば、セルフタイマ音やシャッタ音が小さな音量で発音されることになり、逆に騒がしい環境下では、これらの音が大きな音量で発音されることになる。
【００７９】
（２）第２の方法
第２の方法として、図７のフローチャートに示すように、マイク５を通じて入力された環境音を所定間隔でサンプリングしてデジタルデータに変換し、そのときに得られる複数の時系列的に連続したパワー値（レベル）の中から所定数分のパワー値を抽出する（ステップＤ１１）。そして、これらのパワー値の平均値を求めることにより（ステップＤ１２）、図５に示した音量制御テーブル３２ｂを参照して（ステップＤ１３）、前記平均値に対応した音量を当該音データの出力レベルとして選択する（ステップＤ１４）。
【００８０】
（３）第３の方法
第３の方法として、図８のフローチャートに示すように、マイク５を通じて入力された環境音を所定間隔でサンプリングしてデジタルデータに変換し、そのときに得られる複数の時系列的に連続したパワー値（レベル）の中から所定数分のパワー値を抽出する（ステップＥ１１）。そして、これらのパワー値の中で最も大きな値を求めることにより（ステップＥ１２）、図５に示した音量制御テーブル３２ｂを参照して（ステップＥ１３）、前記最大値に対応した音量を当該音データの出力レベルとして選択する（ステップＥ１４）。
【００８１】
（４）第４の方法
第４の方法として、図９のフローチャートに示すように、マイク５を通じて入力された環境音を所定間隔でサンプリングしてデジタルデータに変換し、そのときに得られる複数の時系列的に連続したパワー値（レベル）の中から所定数分のパワー値を抽出する（ステップＦ１１）。そして、これらのパワー値の頻度分布を作成し（ステップＦ１２）、その頻度分布の中で最頻値の範囲とその中心値を求める（ステップＦ１３）。
【００８２】
例えば、環境音データの１００サンプル中のパワー値の頻度分布が以下のようなであったとする。
【００８３】
１９２〜２５５：１２回
１２８〜１９１：４６回
６４〜１２７：２８回
０〜  ６３：１４回
このような場合、最頻値の範囲は４６回の「１２８〜１９１」であり、その中心値は「１６０」となる。そこで、図５に示した音量制御テーブル３２ｂを参照して（ステップＦ１４）、前記中心値に対応した音量を当該音データの出力レベルとして選択する（ステップＦ１５）。前記の例では、中心値は「１６０」であるため、音量制御テーブル３２ｂの中から音量３が選択されることになる。
【００８４】
このように、撮影時の環境音に応じて音データの出力レベルを変更することで、例えば遊園地などのように周囲が非常に騒がしい環境下であっても、セルフタイマ音やシャッタ音を被撮影者に確実に伝えことができる。したがって、撮影の際に被撮影者がこれらの音を聞けずに、撮影が失敗してしまうことを防ぐことができる。
【００８５】
なお、前記第１の実施形態では、音データの出力レベルを変更するものとしたが、例えば環境音のレベルに応じて音データの種類を変更することでも良い。この場合、周囲の騒音が激しければ、そのような環境下でも被撮影者の耳に届きやすい音データを選出して出力する。
【００８６】
（第２の実施形態）
次に、本発明の第２の実施形態について説明する。
【００８７】
前記第１の実施形態では、環境音に基づいて音データの出力を制御するようにしたが、第２の実施形態では、被写体である被撮影者までの距離に基づいて音データの出力を制御することを特徴とする。
【００８８】
なお、装置構成や基本的な処理な流れについては前記第１の実施形態と同様であるため、ここでは処理的に異なる点のみ説明する。
【００８９】
図１０は本発明の第２の実施形態に係るデジタルカメラ１による発音処理を示すフローチャートであり、前記第１の実施形態における図４に対応している。
【００９０】
すなわち、制御部３２は、まず、音ファイル記憶部３２ａから現在発生すべき音データを読み込む（ステップＧ１１）。これは、例えばセルフタイマ音であれば、タイマ値が「１０」のときに「１０秒前」といった音データを音ファイル記憶部３２ａから読み込むことである。
【００９１】
ここで、このデジタルカメラ１がオートフォーカス機能（ＡＦ機能）を備えているものとすると、シャッタキー９の押下に伴い、制御部３２は、オートフォーカス処理によりレンズ光学系２２に含まれるフォーカスレンズを移動させて、被写体に対する焦点（ピント）を調整する（ステップＧ１２）。その際、デジタルカメラ１から被写体である被撮影者までの距離データを取得する（ステップＧ１３）。
【００９２】
なお、オートフォーカス処理に用いられる測距方法としては、例えば赤外線などを発して被写体との距離を測距するアクティブＡＦ方式や、レンズの異なる位置での入射光の差を検出するコントラストＡＦ方式（位相差検出方式）などがあるが、本発明では、これらの方法に特に限定されるものではない。
【００９３】
被撮影者までの距離データが得られると、制御部３２は、その距離データに基づいて発生音量の決定処理を行い（ステップＧ１４）、その決定された音量で前記ステップＧ１１で読み込んだ音データをスピーカ１１から出力する（ステップＧ１５）。
【００９４】
詳しくは、前記図５に示した音量制御テーブル３２ｂに代わって、距離データと音量とを関連付けた音量制御テーブル（図示せず）を用意しておき、前記ステップＧ１３で得られた距離データに対応した音量を前記音量制御テーブルから求める。そして、このようにして求めた音量で前記ステップＧ１１で読み込んだ音データを出力するべく、音声処理部４１にて音量調整してスピーカ１１から出力する。この場合、デジタルカメラ１から被撮影者までの距離が遠いほど、音データの音量レベルを上げて出力することになる。
【００９５】
このように、オートフォーカスにより得られる被撮影者までの距離データに応じて音データの出力レベルを変更するようにすれば、被撮影者がカメラから離れている場合でも対応でき、撮影時にセルフタイマ音やシャッタ音などを被撮影者に確実に伝えて撮影を行うことができる。
【００９６】
なお、音データの出力レベルを変更する他に、例えば音データの種類を変更することでも良い。この場合、被撮影者までの距離が遠ければ、遠方に届きやすい音データを選出して出力する。
【００９７】
（第３の実施形態）
次に、本発明の第３の実施形態について説明する。
【００９８】
前記第１の実施形態では、環境音に基づいて音データの出力ルを制御するようにしたが、第３の実施形態では、撮影時のズーム状態（撮影画像の拡大率）に基づいて音データの出力を制御することを特徴とする。
【００９９】
なお、装置構成や基本的な処理な流れについては前記第１の実施形態と同様であるため、ここでは処理的に異なる点のみ説明する。
【０１００】
図１１は本発明の第３の実施形態に係るデジタルカメラ１の発音処理を示すフローチャートであり、前記第１の実施形態における図４に対応している。
【０１０１】
すなわち、制御部３２は、まず、音ファイル記憶部３２ａから現在発生すべき音データを読み込む（ステップＨ１１）。これは、例えばセルフタイマ音であれば、タイマ値が「１０」のときに「１０秒前」といった音データを音ファイル記憶部３２ａから読み込むことである。
【０１０２】
ここで、シャッタキー９の押下に伴い、制御部３２は、現在のズーム状態を調べる（ステップＨ１２）。具体的には、ズームキー１８の操作によって変更される撮影画像の倍率を調べることである。なお、ズーム操作には、光学系レンズ２２に含まれるズームレンズを光軸方向に移動させることで光学的に倍率を変更する「光学ズーム」と、ＣＣＤ２３の画像データをソフト的に処理して倍率を変更する「デジタルズーム」があるが、そのどちらの操作によるものでも良い。
【０１０３】
通常、被撮影者が遠くにいる場合には、撮影者はズーム操作により倍率を上げた状態で撮影を行う。そこで、制御部３２は、現在のズーム状態つまり撮影画像の倍率値に基づいて発生音量の決定処理を行い（ステップＨ１３）、その決定された音量で前記ステップＨ１１で読み込んだ音データをスピーカ１１から出力する（ステップＨ１４）。
【０１０４】
詳しくは、前記図５に示した音量制御テーブル３２ｂに代わって、撮影画像の倍率値と音量とを関連付けた音量制御テーブル（図示せず）を用意しておき、前記ステップＨ１３にて現在のズーム状態として得られた撮影画像の倍率値に対応した音量を前記音量制御テーブルから求める。そして、このようにして求めた音量にて前記ステップＨ１１で読み込んだ音データを出力するべく、音声処理部４１にて音量調整してスピーカ１１から出力する。この場合、遠くの被撮影者に合わせてズームアップされているほど、つまり、撮影画像の倍率値が高く設定されているほど、音データの音量レベルを上げて出力することになる。
【０１０５】
このように、撮影時のズーム状態に応じて音データの出力レベルを変更するようにすれば、前記第２の実施形態と同様に、被撮影者がカメラから離れている場合でも対応でき、撮影時にセルフタイマ音やシャッタ音などを被撮影者に確実に伝えて撮影を行うことができる。
【０１０６】
なお、音データの出力レベルを変更する他に、例えば音データの種類を変更することでも良い。この場合、ズームアップしていれば、被撮影者が遠くいるものと仮定し、遠方に届きやすい音データを選出して出力する。
【０１０７】
また、前記各実施形態では、撮影動作を表す音データとして、セルフタイマ音やシャッタ音を例にして説明したが、これらの音に限らず、例えば「これから撮ります」などのような音声ガイドなども含まれるものであり、要は、少なくともシャッタキーが押下されてから撮影が開始されるまでの間に発生される音であれば、そのすべてが対象となる。
【０１０８】
また、前記各実施形態の方法を組み合わせることにより、例えばメニュー画面上で「環境音で音データの出力を制御する方法」（第１の実施形態の方法）、「被撮影者までの距離で音データの出力を制御する方法」（第２の実施形態の方法）、「ズーム状態で音データの出力を制御する方法」（第３の実施形態の方法）をユーザが任意に設定可能とし、その設定された方法で音データの出力制御を行うような構成にしても良い。
【０１０９】
また、本発明は、デジタルカメラに限るものでなく、例えばカメラ付きの携帯電話やカメラ付きのＰＤＡ（Ｐｅｒｓｏｎａｌ  Ｄｉｇｉｔａｌ  Ａｓｓｉｓｔａｎｔ）など、撮像機能を備えた電子機器であれば、その全てに適用可能である。
【０１１０】
要するに、本発明は前記各実施形態そのままに限定されるものではなく、実施段階ではその要旨を逸脱しない範囲で構成要素を変形して具体化できる。また、前記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【０１１１】
また、上述した各実施形態において記載した手法は、コンピュータに実行させることのできるプログラムとして、例えば磁気ディスク（フレキシブルディスク、ハードディスク等）、光ディスク（ＣＤ−ＲＯＭ、ＤＶＤ−ＲＯＭ等）、半導体メモリなどの記録媒体に書き込んで各種装置に適用したり、そのプログラム自体をネットワーク等の伝送媒体により伝送して各種装置に適用することも可能である。本装置を実現するコンピュータは、記録媒体に記録されたプログラムあるいは伝送媒体を介して提供されたプログラムを読み込み、このプログラムによって動作が制御されることにより、上述した処理を実行する。
【０１１２】
また、前述したＣＤ−ＲＯＭやＤＶＤ−ＲＯＭ等の記録媒体の他にも、例えば、Ｂｌｕ−ｒａｙ  Ｄｉｓｃ（Ｒ）やＡＯＤ(Advanced Optical Disc)などの青色レーザを用いた次世代光ディスク、赤色レーザを用いるHD-DVD9、青紫色レーザを用いるＢｌｕｅ  Ｌａｓｅｒ  ＤＶＤなど、今後開発される種々の大容量記録媒体を用いて本発明を実施することが可能である。
【図面の簡単な説明】
【０１１３】
【図１】本発明の第１の実施形態における撮像装置としてデジタルカメラを例にした場合の外観構成を示すものであり、図１（ａ）が主に前面の構成、図１（ｂ）が主に背面の構成を示す斜視図。
【図２】同実施形態におけるデジタルカメラの電子回路構成を示すブロック図。
【図３】同実施形態におけるデジタルカメラによる撮影時の処理動作を示すローチャート。
【図４】同実施形態におけるデジタルカメラによる発音処理を示すフローチャート。
【図５】同実施形態におけるデジタルカメラに用いられる音量制御テーブルの一例を示す図。
【図６】同実施形態におけるデジタルカメラの第１の方法による発生音量決定処理を示すフローチャート。
【図７】同実施形態におけるデジタルカメラの第２の方法による発生音量決定処理を示すフローチャート。
【図８】同実施形態におけるデジタルカメラの第３の方法による発生音量決定処理を示すフローチャート。
【図９】同実施形態におけるデジタルカメラの第４の方法による発生音量決定処理を示すフローチャート。
【図１０】本発明の第２の実施形態に係るデジタルカメラによる発音処理を示すフローチャート。
【図１１】本発明の第３の実施形態に係るデジタルカメラによる発音処理を示すフローチャート。
【符号の説明】
【０１１４】
１…デジタルカメラ、２…撮影レンズ、３…セルフタイマランプ、４…光学ファインダ窓、５…マイクロホン部（ＭＩＣ）、６…ストロボ発光部、７…ラバーグリップ、８…電源キー、９…シャッタキー、１０…モードスイッチ（ＳＷ）、１１…スピーカ部（ＳＰ）、１２…メニューキー、１３…十字キー、１４…セットキー、１５…光学ファインダ、１６…ストロボチャージランプ、１７…表示部、１８…ズームキー、１９…セルフタイマキー、２１…モータ、２２…レンズ光学系、２３…ＣＣＤ、２４…タイミング発生器（ＴＧ）、２５…ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…キー入力部、３７…画像処理部、３８…メモリ、３９…ＵＳＢインタフェース（Ｉ／Ｆ）、４０…ストロボ駆動部、４１…音声処理部、４２…セルフタイマ。
【図１】
2006047416.tif 000003
【図２】
2006047416.tif 000004
【図３】
2006047416.tif 000005
【図４】
2006047416.tif 000006
【図５】
2006047416.tif 000007
【図６】
2006047416.tif 000008
【図７】
2006047416.tif 000009
【図８】
2006047416.tif 000010
【図９】
2006047416.tif 000011
【図１０】
2006047416.tif 000012
【図１１】
2006047416.tif 000013